(57)【要約】【課題】建物の欄間構造において、充分な通風を確保するとともに、容易に開閉を行う。【解決手段】建物の内壁Ｗに形成された欄間を開閉する開閉戸２を備え、この開閉戸２は、水平方向に伸縮可能な蛇腹状をしており、開閉戸２に、その伸縮方向の端部の下端部に、該開閉戸２を伸縮させることによって開閉させる操作部５，６を設け、この操作部５，６を、内壁Ｗから突出させる。これにより、開閉戸２は水平方向に伸縮可能な蛇腹状であるため、開閉戸２を開いた際に、開口面積を欄間と同程度にすることができる。よって、充分な通風を確保することができる。また、開閉戸２を開閉させる操作部５，６は、該開閉戸２の伸縮方向の端部の下端部に設けられており、低い位置に設けられているため、指や棒等が届き易い上に操作部５，６を指や棒等で操作し易い。よって、開閉戸２を容易に開閉することができる。【選択図】図１
2007132117.tif 000002
【特許請求の範囲】
【請求項１】
建物の内壁に形成された欄間を開閉する開閉戸を備え、
この開閉戸は、水平方向に伸縮可能な蛇腹状をしており、
前記開閉戸には、その伸縮方向の端部の下端部に、該開閉戸を伸縮させることによって開閉させる操作部が設けられ、
この操作部は、前記内壁から突出していることを特徴とする欄間構造。
【請求項２】
前記操作部は、前記開閉戸の両面にそれぞれ設けられていることを特徴とする請求項１に記載の欄間構造。
【請求項３】
前記操作部の先端部には、指や棒等を係合可能な係合部が形成されていることを特徴とする請求項１又は２に記載の欄間構造。
【請求項４】
前記欄間を覆うルーバーが前記開閉戸より外側に設けられており、
このルーバーは、水平な複数のルーバー構成材を上下に所定間隔に離間配置して構成されており、
各ルーバー構成材は、前記内壁の厚さ方向に対して一定角度で傾斜していることを特徴とする請求項１〜３のいずれか一項に記載の欄間構造。
【請求項５】
前記ルーバーは、前記開閉戸の両側にそれぞれ設けられ、
これらのルーバーのルーバー構成材は、ともに前記開閉戸に近付くにつれて上方、もしくは下方に傾斜していることを特徴とする請求項４に記載の欄間構造。
【発明の詳細な説明】
【技術分野】
【０００１】
本発明は、建物の欄間構造に関する。
【背景技術】
【０００２】
建物の欄間構造の一例として、特許文献１に記載されたものが知られている。この欄間構造は、引き違い戸の上方に設けられた欄間と、この欄間の上下部に対向して設けられた上部レール及び下部レールと、これらの上部レール及び下部レールの間に取り付けられた外障子及び内障子と、を備えるもので、室内に採光を確保するとともに、外障子又は内障子を摺動させることによって通風を確保することができる。
【特許文献１】特許第２７４１５７８号公報
【発明の開示】
【発明が解決しようとする課題】
【０００３】
しかしながら、特許文献１に記載の欄間構造は、外障子又は内障子を摺動させても欄間に対して半分程度しか開口せず、開口面積が小さいため通風が充分でないという問題があった。また、欄間は引き違い戸の上方に設けられているため、外障子又は内障子の位置が高くなり、外障子又は内障子を摺動させるのが困難であるという問題があった。
【０００４】
本発明の課題は、建物の欄間構造において、充分な通風を確保するとともに、容易に開閉を行うことである。
【課題を解決するための手段】
【０００５】
以上の課題を解決するため、請求項１に記載の発明は、例えば図１，３に示すように、建物の内壁Ｗに形成された欄間１を開閉する開閉戸２を備え、
この開閉戸２は、水平方向に伸縮可能な蛇腹状をしており、
前記開閉戸２には、その伸縮方向の端部の下端部に、該開閉戸２を伸縮させることによって開閉させる操作部５，６が設けられ、
この操作部５，６は、前記内壁Ｗから突出していることを特徴としている。
【０００６】
請求項１に記載の発明によれば、開閉戸２は水平方向に伸縮可能な蛇腹状であるため、開閉戸２を開いた際に、開口面積を欄間１と同程度にすることができる。よって、欄間１に引き違い戸を設けた場合と比べて、充分な通風を確保することができる。また、開閉戸２を開閉させる操作部５，６は、該開閉戸２の伸縮方向の端部の下端部に設けられており、低い位置に設けられているため、指や棒等が届き易い上に操作部５，６を指や棒等で操作し易い。よって、開閉戸２を容易に開閉することができる。
【０００７】
請求項２に記載の発明は、例えば図１に示すように、請求項１に記載の欄間構造において、前記操作部５，６は、前記開閉戸２の両面にそれぞれ設けられていることを特徴としている。
【０００８】
請求項２に記載の発明によれば、内壁Ｗのどちら側からも操作部５，６を操作することができる。よって、内壁Ｗのどちら側からも開閉戸２を開閉することができる。
【０００９】
請求項３に記載の発明は、例えば図１に示すように、請求項１又は２に記載の欄間構造において、前記操作部５，６の先端部には、指や棒等を係合可能な係合部５ａ，６ａが形成されていることを特徴としている。
【００１０】
請求項３に記載の発明によれば、操作部５，６の先端部に設けられた係合部５ａ，６ａに指や棒等を係合することにより、開閉戸２の開閉中に指や棒等が操作部５，６から外れにくくなるため、開閉戸２の開閉を容易に行うことができる。
【００１１】
請求項４に記載の発明は、例えば図２，３に示すように、請求項１〜３のいずれか一項に記載の欄間構造において、前記欄間１を覆うルーバー７，８が前記開閉戸２より外側に設けられており、
このルーバー７，８は、水平な複数のルーバー構成材７ａ，８ａを上下に所定間隔に離間配置して構成されており、
各ルーバー構成材７ａ，８ａは、前記内壁Ｗの厚さ方向に対して一定角度で傾斜していることを特徴としている。
【００１２】
請求項４に記載の発明によれば、欄間１を覆うルーバー７，８のルーバー構成材７ａ，８ａは、上下に所定間隔に離間するとともに、内壁Ｗの厚さ方向に対して一定角度で傾斜しているため、通風を確保するとともに、室内への視線を遮ることができる。
【００１３】
請求項５に記載の発明は、例えば図１，２に示すように、請求項４に記載の欄間構造において、前記ルーバー７，８は、前記開閉戸２の両側にそれぞれ設けられ、
これらのルーバー７，８のルーバー構成材７ａ，８ａは、ともに前記開閉戸２に近付くにつれて上方、もしくは下方に傾斜していることを特徴としている。
【００１４】
請求項５に記載の発明によれば、ルーバー７，８のルーバー構成材７ａ，８ａが、ともに開閉戸２に近付くにつれて上方に傾斜している場合、室内への上方からの視線を開閉戸２の外側のルーバー７，８が遮り、室内への下方からの視線を開閉戸２の内側のルーバー７，８が遮る。また、ルーバー７，８のルーバー構成材７ａ，８ａが、ともに開閉戸２に近付くにつれて下方に傾斜している場合、室内への下方からの視線を開閉戸２の外側のルーバー７，８が遮り、室内への上方からの視線を開閉戸２の内側のルーバー７，８が遮る。よって、室内への上方からの視線と下方からの視線とをどちらも遮ることができる。
【発明の効果】
【００１５】
本発明によれば、開閉戸を開いた際に、開口面積を欄間と同程度にすることができるため、充分な通風を確保することができる。また、開閉戸を容易に開閉することができる。
【発明を実施するための最良の形態】
【００１６】
以下、図を参照して本発明を実施するための最良の形態を詳細に説明する。
図３は、欄間構造を示す正面図であり、この欄間構造は、建物の内壁Ｗに形成された欄間１を開閉する開閉戸２（図１参照）と、この開閉戸２（図１参照）の両側に設けられたルーバー７，８（図２参照）と、を備えている。
【００１７】
図１，３に示すように、欄間１は、内壁Ｗに設けられたドアＤと天井Ｃとの間に形成された矩形の開口部であり、鴨居部Ｗ１を介したドアＤの上方に、天井Ｃと接した状態で形成されている。また、鴨居部Ｗ１の上面には、後述する開閉戸２の先端部４の下端部が係合する一対の凸部１ａが該鴨居部Ｗ１に沿って設けられるとともに、鴨居部Ｗ１の長軸方向の両端部の上面と天井Ｃとの間に、後述するルーバー構成材７ａ，８ａ（図２参照）を支持する一対の支持部１ｂ，１ｃが立設されている。
【００１８】
図１に示すように、開閉戸２は、水平方向に伸縮可能な開閉戸本体３と、開閉戸本体３に設けられた先端部４と、を備えている。また、開閉戸本体３の基端は、支持部１ｂに固定されている。
【００１９】
図１，４に示すように、開閉戸本体３は、一定間隔毎に折り畳み部を有した折り畳み可能な蛇腹状となっており、この開閉戸本体３を折り畳むことによって開閉戸２が縮んで欄間１を開け、開閉戸本体３の折り畳み部を直線状にすることによって開閉戸２が伸びて欄間１を閉じるようになっている。
【００２０】
図１に示すように、先端部４は、平面視において開閉戸本体３の先端に設けられ、鉛直方向に延在している。この先端部４は、その下端面に一対の車輪４ａを有しており、先端部４の下端部は、鴨居部Ｗ１の上面に設けられた一対の凸部１ａの間に係合している。よって、開閉戸２を開閉させる際には、先端部４は、その下端部が一対の凸部１ａの間に係合した状態で、車輪４ａによって鴨居部Ｗ１上を移動するようになっている。
【００２１】
図１，２（ａ）に示すように、先端部４の両側面の下端部には、内壁Ｗからそれぞれ突出する一対の操作部５，６が設けられている。これらの操作部５，６は、その先端に指や棒等を係合可能な係合部５ａ，６ａがそれぞれ設けられている。さらに詳しくは、操作部５，６の先端には一対のフックが対向した状態で設けられており、これらのフックが係合部５ａ，６ａを形成している。また、これらの係合部５ａ，６ａに指や棒等を引っ掛けて先端部４を鴨居部Ｗ１に沿って移動させることによって、開閉戸２を伸縮させ、開閉させる。
【００２２】
図２（ａ）に示すように、開閉戸２の両面、すなわち内壁Ｗの厚さ方向に対する開閉戸２の両側には、欄間１を覆うようにルーバー７，８が開閉戸２より外側にそれぞれ設けられている。これらのルーバー７，８は、それぞれ複数のルーバー構成材７ａ，８ａによって構成されている。
【００２３】
図１，２（ａ）に示すように、鴨居部Ｗ１の長軸方向の両端部と天井Ｃとの間には、一対の支持部１ｂ，１ｃが立設されており、ルーバー構成材７ａ，８ａは、その両端部が一対の支持部１ｂ，１ｃにそれぞれビス７ｂ，８ｂによって固定されて支持されている。
【００２４】
図２（ａ）に示すように、ルーバー構成材７ａ，８ａは、断面視平行四辺形の桟材であり、表面には化粧材が取り付けられている。また、ルーバー７，８のルーバー構成材７ａ，８ａは、ともに開閉戸２に近付くにつれて上方に一定角度で傾斜するとともに、ルーバー７，８毎のルーバー構成材７ａ，８ａは、所定間隔だけ離間して設けられている。
なお、ルーバー７，８のルーバー構成材７ａ，８ａは、図２（ｂ）に示すように、ともに開閉戸２に近付くにつれて下方に一定角度で傾斜させてもよい。
【００２５】
次に、以上のように構成される欄間構造において、欄間１の開閉手順を説明する。
まず、図４（ａ）に示すように、開閉戸２が開いた状態、すなわち開閉戸本体３の折り畳み部が折り畳んだ状態において、指や棒等を操作部５の係合部５ａに係合する。なお、操作部６の係合部６ａに係合してもよい。
【００２６】
次に、図４（ｂ）に示すように、指や棒等で操作部５を移動させることによって、開閉戸２の先端部４を鴨居部Ｗ１に沿って移動させ、開閉戸本体３の折り畳み部を伸ばして開閉戸２を伸ばす。
【００２７】
次に、図４（ｃ）に示すように、操作部５を移動させて先端部４を支持部１ｃに当接させると、開閉戸２が完全に伸びると同時に開閉戸本体３の折り畳み部が直線状になり、欄間１が開閉戸２によって完全に閉じられる。
なお、開閉戸２を開く際も同様に、操作部５，６に指や棒等を係合した状態で操作部５，６を移動させることによって先端部４を鴨居部Ｗ１に沿って移動させ、開閉戸本体３の折り畳み部を折り畳んで開閉戸２を縮ませる。
【００２８】
以上の実施形態によれば、開閉戸２は水平方向に伸縮可能な蛇腹状であるため、開閉戸２を開いた際に、開口面積を欄間１と同程度にすることができる。よって、よって、欄間１に引き違い戸を設けた場合と比べて、充分な通風を確保することができる。また、開閉戸２を開閉させる操作部５，６は、該開閉戸２の伸縮方向の端部の下端部に設けられており、低い位置に設けられているため、指や棒等が届き易い上に操作部５，６を指や棒等で操作し易い。よって、開閉戸２を容易に開閉することができる。
【００２９】
また、内壁Ｗのどちら側からも操作部５，６を操作することができる。よって、内壁Ｗのどちら側からも開閉戸２を開閉することができる。
【００３０】
さらに、操作部５，６の先端部に設けられた係合部５ａ，６ａに指や棒等を係合することにより、開閉戸２の開閉中に指や棒等が操作部５，６から外れにくくなるため、開閉戸２の開閉を容易に行うことができる。
【００３１】
また、欄間１を覆うルーバー７，８のルーバー構成材７ａ，８ａは、上下に所定間隔に離間するとともに、内壁Ｗの厚さ方向に対して一定角度で傾斜しているため、通風を確保するとともに、室内への視線を遮ることができる。
【００３２】
さらに、ルーバー７，８のルーバー構成材７ａ，８ａが、ともに開閉戸２に近付くにつれて上方に傾斜している場合、室内への上方からの視線を開閉戸２の外側のルーバー７，８が遮り、室内への下方からの視線を開閉戸２の内側のルーバー７，８が遮る。また、ルーバー７，８のルーバー構成材７ａ，８ａが、ともに開閉戸２に近付くにつれて下方に傾斜している場合、室内への下方からの視線を開閉戸２の外側のルーバー７，８が遮り、室内への上方からの視線を開閉戸２の内側のルーバー７，８が遮る。よって、室内への上方からの視線と下方からの視線とをどちらも遮ることができる。
【００３３】
なお、以上の実施形態においては、開閉戸本体３の基端を支持部１ｂに固定したが、本発明はこれに限定されるものではなく、開閉戸本体３の基端及び先端を双方とも鴨居部Ｗ１に沿って移動できるようにしてもよい。
【００３４】
また、図５に示すように、欄間１１を、天井が高い１階の部屋Ｒ１の内壁Ｗ２上部に設けてもよい。ここで、部屋Ｒ１は、２階の部屋Ｒ２と内壁Ｗ２の上部を介して隣接しており、欄間１１は部屋Ｒ１及び部屋Ｒ２にそれぞれ面した状態となる。
この場合、部屋Ｒ１と部屋Ｒ２との間の通風を確保することによって部屋Ｒ１の排熱を行うことができ、良好な住環境を提供することができる。また、部屋Ｒ１において欄間１１は見上げる位置にあり、部屋Ｒ２において欄間１１は見下ろす位置にあるが、欄間１１に設けられた開閉戸（図２（ｂ）参照）の両側には該欄間１１を覆うようにルーバー（図２（ｂ）参照）が設けられており、これらのルーバー（図２（ｂ）参照）のルーバー構成材（図２（ｂ）参照）は開閉戸（図２（ｂ）参照）に近付くにつれ上方に傾斜しているため、部屋Ｒ１，Ｒ２の一方から他方への視線を確実に遮ることができる。
【図面の簡単な説明】
【００３５】
【図１】本発明に係る欄間構造の開閉戸の構成を示す平断面図である。
【図２】本発明に係る欄間構造の構成を示すもので、（ａ）はルーバー構成材を開閉戸に近付くにつれて上方に傾斜させた場合の側断面図、（ｂ）はルーバー構成材を開閉戸に近付くにつれて下方に傾斜させた場合の側断面図である。
【図３】本発明に係る欄間構造の構成を示す正面図である。
【図４】開閉戸の開閉手順を示すものであり、（ａ）は開閉戸を閉じる前の概略断面図、（ｂ）は開閉戸を動かしている状態の概略断面図、（ｃ）は開閉戸を閉じた状態の概略断面図である。
【図５】欄間構造の配置位置を示す断面図である。
【符号の説明】
【００３６】
１，１１  欄間
２  開閉戸
５，６  操作部
５ａ，６ａ  係合部
７，８  ルーバー
７ａ，８ａ  ルーバー構成材
Ｗ  内壁
【図１】
2007132117.tif 000003
【図２】
2007132117.tif 000004
【図３】
2007132117.tif 000005
【図４】
2007132117.tif 000006
【図５】
2007132117.tif 000007